(57)【特許請求の範囲】
【請求項１】
蓋体と係合して密封される口部を有する外容器と、この外容器の内側に配置される内容器とを備え、この内容器に、前記外容器の口部上端で係合する係合部分を設け、この係合部分に、前記蓋体と協働して前記内容器の内部を密封する弾性部材を配設してなる二重容器において、
前記内容器が詰め替え容器であって、前記係合部分は、内容器の端縁を外向きに折り返すことで、当該係合部分の折り返しに係る内側に下向きに開放された空間を形作り、この係合部分の折り返しに係る内側に形作られた空間には、前記弾性部材が接着又は一体成形によって取り付けられていることを特徴とする二重容器。
【請求項２】
前記弾性部材は、前記外側上端に取り付けられ、前記蓋体の内面と対向する位置に配した第1の弾性部材と、前記空間に取り付けられ、前記外容器の口部上端と対向する位置に配した第２の弾性部材とからなるものである請求項１に記載の二重容器。
【請求項３】
前記弾性部材は、前記係合部分に形成した穴を介して第1の弾性部材および第２の弾性部材を一体成形したものである請求項２に記載の二重容器。
【請求項４】
前記内容器が薄肉容器である請求項１乃至３のいずれか一項に記載の二重容器。
【発明の詳細な説明】
【０００１】
【発明の属する技術分野】
本発明は、蓋体と係合して密封される口部を有する外容器と、この外容器の内側に配置される内容器とを備える二重容器に関するものである。
【０００２】
【従来の技術】
外容器と内容器とを組み合わせた二重容器は、主に、スキンクリームやクレンジングクリームなどの内容物を収容する化粧料用容器として使用されるだけでなく、粘性の高いクリーム状の内容物を収容する容器として幅広く使用されている。
【０００３】
この種の容器は、外容器を透明あるいは半透明とし、内容器に彩色を施すことによって容器全体としての質感や美観を高めることができ、他の商品との差別化を図る上にも有効であり、また、内容器を詰め替え用の容器（レフィル容器）とすることが可能であることから、外容器の再利用を図るという点からも究めて有効な構造である。
【０００４】
ところで、こうした従来の二重容器は、例えば、特公平４−５４１１２号公報や実開昭５８−１０３７３９号公報に開示した図５に示す如く、蓋体２０の内面にＯリングなどの部材Ｓをパッキン２１によって固定することにより、上下のバラツキを吸収し、蓋体２０と外容器の口部との間に内容器を挟み込んだ状態での、容器の気密性や内容器および外容器の位置合わせを確保することが一般的であった。
【０００５】
【発明が解決しようとする課題】
しかしながら、こうした気密及び位置合わせ構造は、蓋体の内面にＯリングなどの部材Ｓを固定するためのパッキン２１を組み付けなければならないため、生産効率の点で改善の余地があった。
【０００６】
本発明は、上述した問題点に鑑みてなされたものであって、内容器および外容器からなる二重容器において、容器の気密性や内容器および外容器の位置合わせに優れ、且つ、組み付けしやすい二重容器を提供することを目的とする。
【０００７】
【課題を解決するための手段】
この課題を解決するため、第１発明である二重容器は、蓋体と係合して密封される口部を有する外容器と、この外容器の内側に配置される内容器とを備え、この内容器に、前記外容器の口部上端で係合する係合部分を設け、この係合部分に、前記蓋体と協働して前記内容器の内部を密封する弾性部材を配設してなる二重容器において、内容器が詰め替え容器であって、前記係合部分は、内容器の端縁を外向きに折り返すことで、当該係合部分の折り返しに係る内側に下向きに開放された空間を形作り、この係合部分の折り返しに係る内側に形作られた空間には、前記弾性部材が接着又は一体成形によって取り付けられていることを特徴とするものである。
【０００８】
第２発明である二重容器は、上記第1発明において、前記弾性部材は、前記外側上端に取り付けられ、前記蓋体の内面と対向する位置に配した第1の弾性部材と、前記空間に取り付けられ、前記外容器の口部上端と対向する位置に配した第２の弾性部材とからなるものであることが好ましい。
【０００９】
第３発明である二重容器は、上記第２発明において、前記弾性部材は、前記係合部分に形成した穴を介して第1の弾性部材および第２の弾性部材を一体成形したものであることが好ましい。
【００１０】
第４発明である二重容器は、上記第1乃至第３発明のいずれか一発明において、前記内容器が薄肉容器であることが好ましい。
【００１３】
【発明の実施の形態】
以下、添付図面を参照して、本発明の実施の形態を詳細に説明する。
【００１４】
図１は、本発明に係る二重容器の第１の実施形態である、レフィル容器を備えた二重容器を示す断面図である。また図２（ａ）は、図１の内容器を断面で示した部品図、図２（ｂ）は、図２（ａ）の領域Ｘを示した拡大断面図である。さらに図３は、図１の弾性部材を断面で示した部品図である。
【００１５】
本発明の第１実施形態である二重容器１は、キャップ（蓋体）２と、内容器３と、外容器４とからなる。キャップ２は、外容器４の口部４ａにスクリュー嵌合により固定されるものであり、天板裏面にはパッキン２２が配置されている。内容器３は、その開口部分にアルミシート等を適用して密封する詰め替え用の容器（レフィル容器）であり、外容器４の口部上端４ｅで係合する係合部分３ａを有し、外容器４の内側に配置される。
【００１６】
また内容器３は、通常、シート成形にて製造されており、その厚さｄが１．２(mm)程度の薄肉容器であるが、本実施形態の内容器３では、その厚さｄを０．３〜０．５(mm)程度として、容器の構成に際して使用する材料の使用量を著しく軽減するようにしている。なお、内容器３が薄肉容器であれば、キャップ２と外容器４との間の密閉性を容易に確保できるために好適であるが、必ずしも薄肉容器に限定される必要は無く、内容器３の厚さｄが上記の厚さ（ｄ＝１．２(mm)）を越える容器であっても勿論よい。また、内容器３は、単層に限らず、中間にＥＶＯＨなどのバリア層を位置させた積層構造とすることもできる。
【００１７】
本実施形態において、内容器３に設けた係合部分３ａは、内容器３の端縁３ｅを外向きに折り返すことで、当該係合部分３ａの折り返しに係る内側に下向きに開放された空間Ｒを形作り、この空間Ｒには、外容器４の口部上端４ｅとの間に、キャップ２と協働して内容器３の内部を密封するエラストマやゴム等の弾性体からなるセットリング５をシール部材として配設してある。
【００１８】
この場合、セットリング５では、キャップ２を閉める際に、容器軸線Ｏ1方向に沿った上下方向に撓みを発生させることができる。つまり、キャップ２を閉める際に、セットリング５で生じる撓み分だけの大きな閉め代により気密性を確保できると共に、それに伴い内容器３および外容器４をしっかり位置合わせできる。
【００１９】
これにより、本実施形態では、内容器３の係合部分３ａと、外容器４の口部上端４ｅとの間にセットリング５を組み付けるだけで、セットリング５によって容器の気密性や内容器３および外容器４の位置合わせの機能を確保することができる。しかも本実施形態では、図５に開示した従来技術の如く、キャップ２の内面にＯリングＳなどの部材を配してこのＯリングＳを固定するようにパッキン２１を組み付ける必要がないため、部品点数と共に生産工程を削減することができる。
【００２０】
従って本実施形態によれば、容器の気密性や内容器３および外容器４の位置合わせに優れ、且つ、組み付けしやすい二重容器を提供することができる。
【００２１】
セットリング５は、内容器３の係合部分３ａとの関係から様々な位置に配置することができる。
【００２２】
図４は、弾性部材であるセットリングの変形例を示した拡大断面図であり、（ａ）は、係合部分３ａの折り返しに係る当該係合部分３ａの外側上端３ａ1に取り付けられ、キャップ２の内面２ａと対向する位置に配した参考技術としてのセットリング６を示す拡大断面図であり、（ｂ）は、係合部分３ａの折り返しに係る当該係合部分３ａの外側上端３ａ1に取り付けられ、キャップ２の内面２ａと対向する位置に配した第1の弾性部材７ａと、係合部分３ａの折り返しに係る当該係合部分３ａの内側に形作られた空間Ｒに取り付けられ、外容器４の口部上端４ｅと対向する位置に配した第２の弾性部材７ｂとからなる本発明に従うセットリング７を示す拡大断面図であり、（ｃ）は、第1の弾性部材８ａおよび第２の弾性部材８ｂを係合部分３ａに設けた穴３ｈを介して一体成形した本発明に従う他のセットリング８を示す拡大断面図である。なお、図１〜３と同一部分は同一符合をもって、その説明を省略する。
【００２３】
上記したセットリング５〜７を内容器３にセットするに際しては、内容器３にセットリング５〜７を嵌合・接着などの後加工により取り付けることができるが、内容器３を金型にインサートして一体成形することも可能である。但し、セットリング５〜７をインサート成形する場合は、製造工程の簡略化を図ることができるという効果が得られる。
【００２４】
上述したところは、本発明の好適な実施例を示したにすぎず、当業者によれば、請求の範囲において、種々の変更を加えることができる。具体的には、二重容器の内容器３および外容器４はともにポリプロピレン樹脂などを適用できるが、これに限ることはなく、例えば、ポリエチレンテレフタレート等、使用する材料に関しては特に限定されるものではない。
【００２５】
【発明の効果】
本発明に係る二重容器は、内容器が詰め替え容器であって、前記係合部分は、内容器の端縁を外向きに折り返すことで、当該係合部分の折り返しに係る内側に下向きに開放された空間を形作り、この係合部分の折り返しに係る内側に形作られた空間には、前記弾性部材が接着又は一体成形によって取り付けられているから、この弾性部材では、蓋体を閉める際に、容器軸線方向に沿った上下方向に撓みを発生させることができる。つまり、蓋体を閉める際に、弾性部材で生じる撓み分だけの大きな閉め代により気密性を確保できると共に、それに伴い内容器および外容器をしっかり位置合わせできる。
【００２６】
これにより、本発明に係る二重容器では、内容器の係合部分と、外容器の口部上端との間及び前記蓋体の内面との間の少なくとも一方にセットリングを組み付けるだけで、弾性部材によって容器の気密性や内容器および外容器の位置合わせの機能を確保することができる。しかも本発明では、従来技術の如く、蓋体の内面にＯリングなどの部材を配してこの部材を固定するようにパッキンを組み付ける必要がないため、部品点数と共に生産工程を削減することができる。
【００２７】
従って本発明によれば、容器の気密性や内容器および外容器の位置合わせに優れ、且つ、組み付けしやすい二重容器を提供することができる。
【図面の簡単な説明】
【図１】  本発明の第１の実施形態である、レフィル容器を備えた二重容器を示す断面図である。
【図２】  （ａ）は、図１の内容器を断面で示した部品図であり、（ｂ）は、（ａ）の領域Ｘを示した拡大断面図である。
【図３】  図１の弾性部材を断面で示した部品図である。
【図４】  セットリングの変形例を示した拡大断面図であり、（ａ）は蓋体の内面と対向する位置に配した参考技術としてのセットリングを示す断面図、（ｂ）は蓋体の内面と対向する位置に配した第1の弾性部材と、外容器の口部上端と対向する位置に配した第２の弾性部材とからなる本発明に従うセットリングを示す断面図、（ｃ）は第1の弾性部材および第２の弾性部材を係合部分に設けた穴を介して一体成形した本発明に従う他のセットリングを示す断面図である。
【図５】  従来の緩み止め構造を例示するキャップの断面図である。
【符号の説明】
１    二重容器
２    キャップ（蓋体）
２ａ  キャップの内面
３    内容器（レフィル容器）
３ａ  係合部分
３ａ1 係合部分の折り返しに係る当該係合部分の外側上端
３ｅ  内容器の端縁
３ｈ  穴
４    外容器
４ａ  口部
４ｅ  口部上端
５    セットリング
６    セットリング
７    セットリング
７ａ  第１の弾性部材
７ｂ  第２の弾性部材
８    セットリング
８ａ  第１の弾性部材
８ｂ  第２の弾性部材
Ｒ    係合部分の折り返しに係る内側に形作られた空間
【図１】
0004248774.tif 000002
【図２】
0004248774.tif 000003
【図３】
0004248774.tif 000004
【図４】
0004248774.tif 000005
【図５】
0004248774.tif 000006